(57)【要約】【課題】多くの種類の深さの穴をより安定して歯槽骨に穿つことができるとともに、ここに含まれるドリルの種類、及びスペーサ−の種類を少なく抑えることができる人工歯根埋設用システムを提供する。【解決手段】２〜５種類の人工歯根からなる人工歯根群、及び１〜３種類のサージカルガイドからなるサージカルガイド群から選ばれる人工歯根と前記サージカルガイドとの組み合わせに対して、所定の関係を具備する、歯槽骨に孔を開ける所定の異なる長さを有する２種類の歯科用ドリル、及び、歯科用ドリルに装着される１〜３種類のスペーサーを備えるスペーサ−群を含むものとする。【選択図】図４
2013102929.tif 000002
【特許請求の範囲】
【請求項１】
２〜５種類の人工歯根からなる人工歯根群、及び１〜３種類のサージカルガイドからなるサージカルガイド群から選ばれる前記人工歯根と前記サージカルガイドとの組み合わせに対して、歯槽骨に孔を開ける２種類の歯科用ドリル、及び、前記歯科用ドリルに装着される１〜３種類のスペーサーを備えるスペーサ−群を含む人工歯根埋設用システムであって、
前記想定される人工歯根群は、２≦ｘ≦５の範囲の整数において、
その先端から埋設時に歯槽骨面に位置するべき部位までの長さがＭ１である人工歯根と、
先端から埋設時に歯槽骨面に位置する部位までの長さが
Ｍｘ＝Ｍ１＋（ｘ−１）・ｐ
で表される人工歯根と、により構成されることによりＭ１〜Ｍｘまでのｘ種類の人工歯根、を有し、
前記想定されるサージカルガイド群は、１≦ｙ≦３の範囲の整数において、
口腔内に装着された姿勢で、前記人工歯根が埋設されるべき部位の歯槽骨面に対して、
Ｎｙ＝Ｎ１＋（ｙ−１）・ｐ
なる間隙を有するＮ１〜Ｎｙまでのｙ種類のサージカルガイド、を有し、
前記２種類の歯科用ドリルは、ドリル刃が設けられた棒状のドリル本体と、前記ドリル本体の側面の一部から突出するように設けられた凸部とを、具備し、
前記スペーサーは、筒状であり、該筒状の内側を前記ドリル本体が貫通可能であるとともに前記凸部が設けられた部位は貫通不可能とされ、
前記スペーサー群は、１≦ｚ≦３の範囲の整数において、
前記筒状の軸方向に、
Ｑｚ＝ｚ・ｐ
なる長さであるスペーサー部を備えてＱ１〜Ｑｚまでのｚ種類のスペーサーを有し、
前記ｚ種類は、前記ｘ、及び前記ｙから、
ｘ＋ｙ＝８のときｚ＝３
６≦ｘ＋ｙ≦７のときｚ＝２
２≦ｘ＋ｙ≦５のときｚ＝１
とされ、
前記２種類の歯科用ドリルのうちの一方の種類の歯科用ドリルは、その先端から前記凸部までの距離Ｌ１は、
前記サージカルガイドの前記歯槽骨面に対向するべき面と、それとは反対側の面との距離をＴとしたとき、
Ｌ１＝Ｔ＋Ｎ１＋Ｍ１＋ｚ・ｐ
であり、
他方の種類の歯科用ドリルは、その先端から前記凸部までの距離Ｌ２は、
Ｌ２＝Ｔ＋Ｎｙ＋Ｍｘ
である、
人工歯根埋設用システム。
【請求項２】
前記Ｌ２が３０ｍｍ以下であるとともに、前記Ｌ２と前記Ｌ１との関係が、
Ｌ２−Ｌ１＝２・ｐ
を満たす範囲で構成される請求項１に記載の人工歯根埋設用システム。
【発明の詳細な説明】
【技術分野】
【０００１】
本発明は、人工歯根（インプラント）により歯列の欠損部を補う単独歯、連結歯、義歯等の歯科用補綴物の設置の際に、歯槽骨に人工歯根を埋設する穴を穿つために用いられる人工歯根埋設用システムに関する。
【背景技術】
【０００２】
歯列における歯の一部が欠損した場合には、この欠損部位を補う何らかの手段を講じることが多いが、その中の１つに人工歯根（いわゆるインプラント）を含む歯科用補綴物構造体を用いることがある。これは、歯列の欠損部分における歯槽骨に所定の穴を形成し、ここに人工歯根を埋設するとともに、その先端部に歯科用補綴物を固定するというものである。このような手段は、従来のいわゆる入れ歯に比べてクラスプ等を用いる必要がないので見た目にもよく、口腔内への安定した配置の観点からも優れている。
【０００３】
人工歯根を含む歯科用補綴物構造体では、歯槽骨に穴を形成してここに人工歯根を埋め込むが、歯槽骨の状態は患者によって異なるので、一般的に人工歯根は、長さの異なる複数の種類が準備されており、適切な長さの人工歯根が選択されて埋入される。人工歯根を埋め込む穴は、このように選択された人工歯根に合わせて歯科用ドリルによって形成される。このとき、穿たれるべき孔が所望の深さに達しない場合には人工歯根を強固に設置することができなかったり、設置しても安定してその先端部に歯科用補綴物を固定することができないこともある。一方、所望の深さ以上に穴を穿ってしまうと他の組織を損傷してしまう虞がある。従って人工歯根の埋設では、人工歯根を埋入する穴を正確な位置、深さで穿つことが重要である。
【０００４】
近年では、人工歯根の埋設に先立って事前にＸ線ＣＴ（Ｃｏｍｐｕｔｅｄ  Ｔｏｍｏｇｒａｐｈｙ）を用いて人工歯根を埋設する対象となる歯槽骨部分に関する種々の断層面を撮影し、歯槽骨の詳細な情報を得てから歯槽骨に人工歯根を埋入する方向や位置をシミュレーションにより求めおくことが多い。そして人工歯根を埋入する穴を正確な位置に穿つために、上記ＣＴによるデータに基づき形成された人工歯根のための孔を穿つためのガイド（サージカルガイドやサージカルステントと呼ばれることがある。）が用いられる。このようなガイドは歯槽骨に穴を穿つためのドリルをガイドするガイド孔を有しており、その使用時には歯列に被せるように配置される。ここで、穴を穿つ際に生じる熱を逃がすために、ガイドと穴を穿つ対象となる歯槽骨面との間には所定の間隙が設けられている。
【０００５】
一方、穿つ穴の深さを所望の深さに規制するため、ドリルの所定の位置にストッパーを取り付けることが行われている。これによれば、ドリルが穿つべき穴の深さにまで達したときにストッパーがガイドに引っ掛かかることにより、ドリルのそれ以上の進行を禁止させることができる。特許文献１に記載のストッパーはドリルの所定位置にネジを利用してストッパーの固定と移動との変更が可能とされ、ドリルにより穿つべき穴の深さを自由に変更させる技術が開示されている。
【０００６】
また特許文献２には、穿つ穴の深さを所望の深さに規制するため、ドリルの軸部の所定位置に該軸部と一体化したフランジ状（円盤状）のストッパーが設けられた歯科用ドリルが開示されている。これによっても穿つべき穴の深さまでドリルが達したときに、ストッパーがガイドに引っ掛かることによりドリルのそれ以上の進行を禁止させることが可能である。
【０００７】
さらには特許文献２に記載のような、ドリルの軸部と一体化したフランジ状のストッパーが設けられるとともに、該ストッパーに着脱可能なスペーサ−を具備するものもある。これによれば、スペーサーの大きさを変更することにより、１本の歯科用ドリルでも複数のドリルの侵入深さに規制することができる。
【先行技術文献】
【特許文献】
【０００８】
【特許文献１】特開２００９−２７９１４７号公報
【特許文献２】特表２００５−５１８８３４号公報
【発明の概要】
【発明が解決しようとする課題】
【０００９】
しかしながら、特許文献１に記載の発明によれば、ストッパーの位置を自在に変更させることができる利点はあるが、ストッパーの位置調整が煩雑であるとともに、ストッパーのネジによる固定が確実に行われていないとストッパーが移動してしまう虞があった。また、特許文献２に記載の発明によれば、ストッパーは固定されているので上記のような問題点は解決することができるが、同じ径のドリルに対してストッパー位置が異なる多くのドリルを準備をする必要があった。さらにスペーサーを具備するものでは、ドリル先端からストッパーまでの距離を長くしておくことにより深い穴を穿つことに対応する一方で、浅い穴を穿つ場合にはドリルの軸方向に大きいスペーサーを取り付けることが必要であり、この場合には軸がぶれる虞があった。また、このような長いドリルを患者の口腔内に入れるには患者は口を大きく開ける必要があった。
【００１０】
そこで本発明は、多くの種類の深さの穴をより安定して歯槽骨に穿つことができるとともに、ここに含まれるドリルの種類、及びスペーサ−の種類を少なく抑えることができる人工歯根埋設用システムを提供することを課題とする。
【課題を解決するための手段】
【００１１】
以下、本発明について説明する。ここでは分かり易さのため、図面に付した参照符号を括弧書きで併せて記載するが、本発明はこれに限定されるものではない。
【００１２】
請求項１に記載の発明は、２〜５種類の人工歯根（４１〜４５、Ｆ１〜Ｆ５）からなる人工歯根群（４０）、及び１〜３種類のサージカルガイド（５１〜５３、Ｇ１〜Ｇ３）からなるサージカルガイド群（５０）から選ばれる人工歯根とサージカルガイドとの組み合わせに対して、歯槽骨に孔を開ける２種類の歯科用ドリル（３４、３５、Ｄ１、Ｄ２）、及び、歯科用ドリルに装着される１〜３種類のスペーサー（３１〜３３、Ｓ１〜Ｓ３）を備えるスペーサー群を含む人工歯根埋設用システム（３０）であって、想定される人工歯根群は、２≦ｘ≦５の範囲の整数において、その先端から埋設時に歯槽骨面に位置するべき部位までの長さがＭ１である人工歯根と、先端から埋設時に歯槽骨面に位置する部位までの長さが
Ｍｘ＝Ｍ１＋（ｘ−１）・ｐ
で表される人工歯根と、により構成されることによりＭ１〜Ｍｘまでのｘ種類の人工歯根、を有し、想定されるサージカルガイド群は、１≦ｙ≦３の範囲の整数において、口腔内に装着された姿勢で、人工歯根が埋設されるべき部位の歯槽骨面に対して、
Ｎｙ＝Ｎ１＋（ｙ−１）・ｐ
なる間隙を有するＮ１〜Ｎｙまでのｙ種類のサージカルガイド、を有し、２種類の歯科用ドリルは、ドリル刃が設けられた棒状のドリル本体（３４ａ、３５ａ）と、ドリル本体の側面の一部から突出するように設けられた凸部（３４ｂ、３５ｂ）とを、具備し、スペーサーは、筒状であり、該筒状の内側をドリル本体が貫通可能であるとともに凸部が設けられた部位は貫通不可能とされ、スペーサー群は、１≦ｚ≦３の範囲の整数において、筒状の軸方向に、
Ｑｚ＝ｚ・ｐ
なる長さであるスペーサー部を備えてＱ１〜Ｑｚまでのｚ種類のスペーサーを有し、ｚ種類は、ｘ、及びｙから、
ｘ＋ｙ＝８のときｚ＝３
６≦ｘ＋ｙ≦７のときｚ＝２
２≦ｘ＋ｙ≦５のときｚ＝１
とされ、２種類の歯科用ドリルのうちの一方の種類の歯科用ドリル（３４、Ｄ１）は、その先端から凸部までの距離Ｌ１は、サージカルガイドの歯槽骨面に対向するべき面と、それとは反対側の面との距離をＴとしたとき、
Ｌ１＝Ｔ＋Ｎ１＋Ｍ１＋ｚ・ｐ
であり、他方の種類の歯科用ドリル（３５、Ｄ２）は、その先端から凸部までの距離Ｌ２は、
Ｌ２＝Ｔ＋Ｎｙ＋Ｍｘ
である、人工歯根埋設用システム（３０）である。
【００１３】
請求項２に記載の発明は、請求項１に記載の人工歯根埋設用システムにおいて、Ｌ２が３０ｍｍ以下であるとともに、Ｌ２とＬ１との関係が、
Ｌ２−Ｌ１＝２・ｐ
を満たす範囲で構成されることを特徴とする。
【発明の効果】
【００１４】
本発明によれば、多くの種類の深さの穴をより安定して歯槽骨に穿つことができるとともに、ここに含まれるドリルの種類、及びスペーサ−の種類を少なく抑えることができる。
【図面の簡単な説明】
【００１５】
【図１】歯科用補綴物構造体の構造を説明する図である。
【図２】歯科用補綴物構造体を施術するまでの過程を説明する流れを示す図である。
【図３】サージカルガイドについて説明する図である。
【図４】１つの実施形態にかかる人工歯根埋設用システム３０を表した図である。
【図５】歯科用ドリルとスペーサーとが組み合わされた例を示した図である。
【図６】人工歯根埋設用システム３０が想定する人工歯根の種類を表した図である。
【図７】人工歯根埋設用システム３０が想定するサージカルガイドの種類を表した図である。
【図８】各要素の位置関係を説明する図である。
【発明を実施するための形態】
【００１６】
本発明の上記した作用及び利得は、次に説明する発明を実施するための形態から明らかにされる。以下、本発明を図面に示す実施形態に基づき説明する。ただし本発明はこれら実施形態に限定されるものではない。
【００１７】
はじめに、人工歯根が含まれる歯科用補綴物構造体の構成について説明する。図１に歯科用補綴物構造体１０の１つの例についてその構成を模式的に示した。歯科用補綴物構造体１０は、歯科用補綴物１１、人工歯根１４、及び連結部材１５を有している。ここで歯科用補綴物１１は人工歯冠１２及び連結受け部１３を含んでいる。
【００１８】
人工歯冠１２は、歯科用補綴物１１の主要な部分をなす部位で、歯列の欠損部を実質的に補う部位である。従って、人工歯冠１２は歯牙を模した形状を有しており、歯牙の形状及び質感が再現されている。
連結受け部１３は、歯科用補綴物１１のうち、人工歯冠１２の歯槽骨側となる部分に設けられ、連結部材１５を受け入れるように該連結部材１５と連結する部位である。
人工歯根１４は、インプラント、インプラント体とも呼ばれ、歯槽骨に埋められて歯科用補綴物構造体１０を口腔内に適切に固定するための部材である。
連結部材１５は歯科用補綴物１１と人工歯根１４との間に配置され、これらを連結する部材である。より詳しくは、連結部材１５の一部が人工歯根１４に差し込まれるようにして固定され、連結部材１５の他の一部が歯科用補綴物１１の連結受け部１３に差し込まれるようにして固定される。
【００１９】
次に、歯科用補綴物構造体１０を口腔内に固定するまでの流れの概要を説明する。図２に一つの例としての歯科用補綴物構造体の形成方法Ｓ１０を図で表した。歯科用補綴物構造体の形成方法Ｓ１０は、例えば過程Ｓ１１〜過程Ｓ１７を有して進められる。以下に各過程について説明する。
【００２０】
過程Ｓ１１では、欠損部分を含む患者の３次元歯列データである初期歯列データ及び患者の３次元歯槽骨データを取得する。ここで、初期歯列データは、欠損部分を含む患者の歯列模型を取得しておき、当該歯列模型を３次元形状測定装置を用いる等して、歯列模型表面の形状を３次元データ化することにより得られる。３次元形状測定装置としては例えば、非接触型３次元デジタイザ、非接触型３次元形態読取装置、及び非接触型レーザースキャナー等を挙げることができる。なお、欠損部分は歯肉表面（顎堤）が３次元データとして取得される。
一方、歯槽骨データは、Ｘ線ビームを走査させて人体の内部器官の断層画像を取得するＣＴ画像撮影装置を用いて取得することができる。ＣＴ画像撮像装置によれば、患者の歯槽骨を撮像することにより断面位置の異なる複数の２次元のＣＴ画像を複数枚得ることができ、これらを合成することにより３次元データ化して３次元の歯槽骨データとすることができる。
【００２１】
過程Ｓ１２では、取得された初期歯列データ及び歯槽骨データに基づいて初期歯列データの欠損部に適合するように３次元の歯科用補綴物データを生成する。歯科用補綴物データの生成は例えば、得られた初期歯列データ及び歯槽骨データから、規定のプログラムにより所定の手順に基づいてコンピュータ等の演算手段が欠損部に適用すべき歯科用補綴物データを演算して生成する。具体的な歯科用補綴物データの生成方法は特に限定されることなく公知のものを用いることができる。例えばデータベース化された多数の基準となる歯科用補綴物データから、適する歯科用補綴物データを選択するとともに、患者の残存歯の形状を考慮して選択された歯科用補綴物データの拡大、縮小、変形等により形態を決定することを挙げることができる。また、患者が他の歯科用補綴物を用いていれば、この歯科用補綴物の形状を考慮してもよい。
【００２２】
次に過程Ｓ１３について説明する。過程Ｓ１３では、取得された初期歯列データ、歯槽骨データ、及び生成された歯科用補綴物データに基づき、用いるべき人工歯根の種類を決定し、そのデータを用いて該人工歯根が埋設される位置、角度、深さ等を決定して３次元データを生成する。これらは、例えば得られた初期歯列データ、歯槽骨データ、及び生成された歯科用補綴物データから規定のプログラムにより所定の手順に基づいてコンピュータ等の演算手段が適用すべき人工歯根のデータを演算して生成する。用いるべき人工歯根の種類は、例えばデータベースとして記憶された多数の人工歯根から、演算結果に最も適合する人工歯根データを選択することにより得ることができる。
一方で、取得された初期歯列データ及び歯槽骨データに基づいて、人工歯根が埋設されるべき位置、角度、深さを演算する。この演算は歯槽骨の形状や神経等が考慮され人工歯根を埋設するにできるだけ適した態様を算出する。当該算出もプログラムにより所定の手順に基づいてコンピュータ等の演算手段により得ることが可能である。
【００２３】
過程Ｓ１４は、過程Ｓ１３により決定した人工歯根の形状及び配置される位置等に基づいて、人工歯根を精度よく埋設するためのガイド部材であるサージカルガイドを製造する過程である。図３にサージカルガイド２０の構造を説明する模式的な図を示した。サージカルガイド２０は、ガイド部２１と、支持部２２とを備えて構成されている。
ガイド部２１は、欠損した歯列部位に配置されるとともに、人工歯根１４を埋設すべき穴に連通可能な角度及び位置にガイド孔２１ａが備えられる部位である。
支持部２２は、ガイド部２１から延びるとともに、欠損部に隣接する複数の残存歯の表面に沿うような形状を有した部位である。
すなわち、ガイド部２１を患者の口腔内の欠損部に配置するとともに支持部２２をこれに隣接する残存歯に被せるように配置することにより、ガイド部２１が欠損部に安定して配置される。さらに、自動的に歯槽骨に開けるべき穴に連通する角度及び位置にガイド孔２１ａが配置される。
従って歯科医師は、サージカルガイド２０を口腔内に配置し、ガイド孔２１ａに歯科用ドリルを挿入してガイドさせながら歯槽骨に穴を開ければ、精度よく人工歯根を埋設すべき穴を開けることができる。ただし、その際には歯科用ドリルが必要以上に深く進まないようにストッパーやここに配置されるスペーサーにより安全の確実が図られる。詳しくは後で説明する。
ここで説明した支持部２２は、残存歯に被せるように構成されるいわゆる歯牙支持の形式であるが、支持形式はこれに限定されることなく例えば歯槽粘膜による支持である粘膜支持や歯槽骨による支持である骨支持の形式を採用することもできる。
【００２４】
このようなサージカルガイドの製造は公知のように行うことができ、特に限定されるものではない。ただし、本実施形態においてサージカルガイドに設けられるガイド孔２１ａは、上記過程Ｓ１３で得られた人工歯根の位置及び形状に基づくものである。サージカルガイド２０は切削手段を具備するサージカルガイド製造装置を用いて例えば次のように製造することができる。
【００２５】
初めにサージカルガイド製造装置は、上記した各過程で生成されたデータを取得する。次に、材料となるブロックが切削加工がおこなわれる部位に送られる。ここでサージカルガイドの材料は通常に用いられるものでよく、これには例えばアクリリックレジンを挙げることができる。切削加工がおこなわれる部位に配置された当該ブロックは、上記取得したデータに基づいて切削され、ガイド部２１、支持部２２及びガイド穴２１ａがそれぞれ形成される。ここでは、切削加工によりサージカルガイドを製造する例を説明したが、この他、型を用いて成型加工にて製造することもできる。また、ＣＡＤ／ＣＡＭデータが生成されていれば、このサージカルガイドをＣＡＤ／ＣＡＭを用いて設計・加工してもよい。
【００２６】
図２に示したように過程Ｓ１５は、歯科用ドリルにより歯槽骨に穴を開ける過程である。より具体的には次の通りである。初めに上記のように作製したサージカルガイド２０を図３に示したように歯列に被せるように配置する。ここで、図３からもわかるように、サージカルガイド２０と歯槽骨面との間は所定の間隙が設けられている。次に歯科用ドリルをサージカルガイド２０のガイド孔２１ａに差し込むようにしてガイドされながら歯槽骨に所望の穴を穿つ。このとき、後述するように、ストッパーとして機能する歯科用ドリルの凸部、又はスペーサーがガイド孔２１ａに入り込めずに引っかかり、これ以上の深さ方向への進行を禁止する。そして所望の穴が形成された後に歯科用ドリルを抜き去り、サージカルガイドを歯列から離脱させる。
【００２７】
図２に示したように過程Ｓ１６は、人工歯根１４を埋設する過程である。人工歯根１４は図１からもわかるようにその外周部にネジ形状が形成されており、これを利用して歯槽骨に開けた穴に人工歯根１４を挿入して螺合する。これにより人工歯根１４は歯槽骨に強く固定される。
【００２８】
過程Ｓ１７は、歯冠等を取り付ける過程である。すなわち、歯槽骨に固定された人工歯根１４に対して連結部材１５を取り付け、さらに連結部材１５に歯科用補綴物１１を配置する。これにより歯科用補綴物構造体１０の全てが患者の口腔内に配置され、その機能を発揮するものとなる。
【００２９】
本発明の人工歯根埋設用システムは、上記したような歯科用補綴物構造体を口腔内に固定する際に用いられるシステムである。特に、過程Ｓ１５で説明した、歯科用ドリルによる歯槽骨への穴開けの過程で用いることができるものである。以下本発明の１つの実施形態について説明する。
【００３０】
図４は１つの実施形態にかかる人工歯根埋設用システム３０を示した図であり、該人工歯根埋設用システム３０を構成する各部材を図示したものである。本実施形態にかかる人工歯根埋設用システム３０は、第一歯科用ドリル３４、第二歯科用ドリル３５、及びスペーサー群を構成する第一スペーサ−３１、第二スペーサ−３２、第三スペーサ−３３を有している。
【００３１】
第一歯科用ドリル３４は、ドリル本体３４ａ及び凸部３４ｂを備えている。ドリル本体３４ａは通常の歯科用ドリルと同様である。凸部３４ｂは、ドリル本体３４ａのうちドリル刃が形成されていない側部に、該側部から突出するように設けられている。凸部３４ｂは、スペーサー（３１、３２、３３）を係合する部位として機能するとともに、スペーサー（３１、３２、３３）が取り付けられていない時には、ストッパーとして機能する。
また、図４に表したように、第一歯科用ドリル３４の先端から凸部３４ｂまでの距離はＬ１である。距離Ｌ１が取るべき大きさについては後で説明する。ここで、「ドリルの先端」は、当該ドリルにより目的とする直径の穴を形成することができる部位の先端を意味する。通常、ドリルの先端部分は円錐状に先端が細くなっているが、当該円錐状の部分は目的とする直径の穴を形成することができないので、当該円錐状の部分は除外して考えるものとする。以下同様である。
なお、第一歯科用ドリル３４は、説明の容易のためＤ１で表すこともある。
【００３２】
第二歯科用ドリル３５は、ドリル本体３５ａ及び凸部３５ｂを備えている。ドリル本体３５ａは通常の歯科用ドリルと同様である。凸部３５ｂは、ドリル本体３５ａのうちドリル刃が形成されていない側部に、該側部から突出するように設けられている。凸部３５ｂは、スペーサー（３１、３２、３３）を係合する部位として機能するとともに、スペーサー（３１、３２、３３）が取り付けられていない時には、ストッパーとして機能する。
ここで、第二歯科用ドリル３５の先端から凸部３５ｂまでの距離はＬ２であり、Ｌ２はＬ１より大きい。距離Ｌ２が取るべき大きさについては後で説明する。なお、第二歯科用ドリル３５は、説明の容易のためＤ２で表すこともある。
【００３３】
第一スペーサー３１は、スペーサー群を構成する１つのスペーサーであり、ストッパーとして機能する。図４からわかるように、第一スペーサー３１は、取り付け部３１ａ及びスペーサー部３１ｂを備えている。第一スペーサー３１は、全体としては図４の紙面上下方向に軸を有する円筒状の部材であり、内側に中空部３１ｃを有している（図４では中空部を透視して破線で示した。）。中空部３１ｃはドリル本体３４ａ、ドリル本体３５ａを貫通させることができるとともに、凸部３４ｂ、３５ｂは貫通させることができないように形成されている。取り付け部３１ａは円筒の軸方向に延びる爪状の部材が円筒の外周に沿って所定の間隔で配置されている。スペーサ−部３１ｂは円筒状の軸方向厚さがＱ１＝ｐに形成された部位である。なお、第一スペーサー３１は、説明の容易のためＳ１で表すこともある。
【００３４】
第二スペーサー３２は、スペーサー群を構成する１つのスペーサーであり、ストッパーとして機能する。図４からわかるように、第二スペーサー３２は、取り付け部３２ａ及びスペーサー部３２ｂを備えている。第二スペーサー３２は、全体としては図４の紙面上下方向に軸を有する円筒状の部材であり、内側に中空部３２ｃを有している（図４では中空部を透視して破線で示した。）。中空部３２ｃはドリル本体３４ａ、ドリル本体３５ａを貫通させることができるとともに、凸部３４ｂ、３５ｂは貫通させることができないように形成されている。取り付け部３２ａは円筒の軸方向に延びる爪状の部材が円筒の外周に沿って所定の間隔で配置されている。スペーサ−部３２ｂは円筒状の軸方向厚さがＱ２＝２・ｐに形成された部位である。なお、第二スペーサー３２は、説明の容易のためＳ２で表すこともある。
【００３５】
第三スペーサー３３は、スペーサー群を構成する１つのスペーサーであり、ストッパーとして機能する。図４からわかるように、第三スペーサー３３は、取り付け部３３ａ及びスペーサー部３３ｂを備えている。第三スペーサー３３は、全体としては図４の紙面上下方向に軸を有する円筒状の部材であり、内側に中空部３３ｃを有している（図４では中空部を透視して破線で示した。）。中空部３３ｃはドリル本体３４ａ、ドリル本体３５ａを貫通させることができるとともに、凸部３４ｂ、３５ｂは貫通させることができないように形成されている。取り付け部３３ａは円筒の軸方向に延びる爪状の部材が円筒の外周に沿って所定の間隔で配置されている。スペーサ−部３３ｂは円筒状の軸方向厚さがＱ３＝３・ｐに形成された部位である。なお、第三スペーサー３３は、説明の容易のためＳ３で表すこともある。
【００３６】
以上のような第一歯科用ドリル３４、第二歯科用ドリル３５と、第一スペーサー３１、第二スペーサー３２、第三スペーサー３３と、は例えば次のように組み合わせることができる。第一歯科用ドリル３４と、第一スペーサー３１、第二スペーサー３２、第三スペーサー３３と、の組み合わせを例に説明する。図５に説明図を示した。図５（ａ）は第一歯科用ドリル３４と第一スペーサー３１との組み合わせを表す図、図５（ｂ）は第一歯科用ドリル３４と第二スペーサー３２との組み合わせを表す図、図５（ｃ）は第一歯科用ドリル３４と第三スペーサー３３との組み合わせを表す図である。
【００３７】
図５（ａ）からわかるように、第一歯科用ドリル３４の先端側から、ドリル本体３４ａを第一スペーサー３１の中空部３１ｃ（図４参照）に挿入するように通し、取り付け部３１ａを第一歯科用ドリル３４の凸部３４ｂに係合させることにより固定する。これにより、第一歯科用ドリル３４を第一スペーサー３１に取り付けることができる。
第一歯科用ドリル３４に第一スペーサー３１を取り付けた状態では、図５（ａ）にも表したように、第一歯科用ドリル３４の先端から第一スペーサー３１までの距離がＬ１−ｐとなる。
【００３８】
同様に図５（ｂ）からわかるように、第一歯科用ドリル３４に第二スペーサー３２を取り付けることができ、その時の第一歯科用ドリル３４の先端から第二スペーサー３２までの距離はＬ１−２・ｐとなる。
さらに、図５（ｃ）からわかるように、第一歯科用ドリル３４に第三スペーサー３３を取り付けることができ、その時の第一歯科用ドリル３４の先端から第三スペーサー３３までの距離はＬ１−３・ｐとなる。
【００３９】
ここでは第一歯科用ドリル３４と各スペーサー（３１、３２、３３）との組み合わせについて説明したが、第二歯科用ドリル３５と各スペーサー（３１、３２、３３）との組み合わせも同様である。すなわち、第二歯科用ドリル３５と第一スペーサー３１との組み合わせでは第二歯科用ドリル３５の先端から第一スペーサー３１までの距離がＬ２−ｐとなる。同じように、第二歯科用ドリル３５と第二スペーサー３２との組み合わせでは第二歯科用ドリル３５の先端から第二スペーサー３２までの距離がＬ２−２・ｐとなり、第二歯科用ドリル３５と第三スペーサー３３との組み合わせでは第二歯科用ドリル３５の先端から第三スペーサー３３までの距離がＬ２−３・ｐとなる。
【００４０】
このような人工歯根埋設用システム３０は、長さの異なる５種類の人工歯根４１〜４５と、歯槽骨面との間隙の大きさが異なる３種類のサージカルガイド５１〜５３との組み合わせによる、歯槽骨への穴開けに対応することができる。以下に詳しく説明する。
【００４１】
図６には、本実施形態で想定し得る人工歯根群４０を構成する人工歯根４１〜４５を示した。これら５つの人工歯根は長さがｐずつ異なるように形成されている。すなわち、人工歯根４１は、歯槽骨に深く埋設される側の先端（以下これを「先端」と記載する。）から、埋設された姿勢で歯槽骨面と同じ位置となる部位までの距離（これを「埋設長さ」とする。）がＭ１である。人工歯根４２は埋設長さがＭ２であり、これはＭ１＋ｐである。同様に人工歯根４３の埋設長さはＭ３であり、Ｍ１＋２・ｐ、人工歯根４４は埋設長さがＭ４であり、Ｍ１＋３・ｐ、人工歯根４５は埋設長さがＭ５であり、Ｍ１＋４・ｐとなる。
なお、説明容易のため、人工歯根４１をＦ１、人工歯根４２をＦ２、人工歯根４３をＦ３、人工歯根４４をＦ４、及び人工歯根４５をＦ５で表すこともある。
【００４２】
図７には、本実施形態で想定し得るサージカルガイド群５０を構成するサージカルガイド５１〜５３を示した。これら３つのサージカルガイドは、厚さがＴであるとともに、歯槽骨面との間隙がｐずつ異なるように形成されている。すなわち、図７からわかるように、サージカルガイド５１は、該サージカルガイド５１が口腔内に装着された姿勢で、ガイド部５１ａと歯槽骨面との間隙がＮ１となるサージカルガイドである。同様にサージカルガイド５２は、該サージカルガイド５２が口腔内に装着された姿勢で、ガイド部５２ａと歯槽骨面との間隙がＮ２となるサージカルガイドであり、Ｎ２＝Ｎ１＋ｐである。サージカルガイド５３は、該サージカルガイド５３が口腔内に装着された姿勢で、ガイド部５３ａと歯槽骨面との間隙がＮ３となるサージカルガイドであり、Ｎ３＝Ｎ１＋２・ｐである。
なお、説明を容易にするため、サージカルガイド５１をＧ１、サージカルガイド５２をＧ２、サージカルガイド５３をＧ３で表すこともある。
【００４３】
人工歯根４１〜４５及びサージカルガイド５１〜５３によれば、想定し得る組み合わせは５×３＝１５通りとなり、これら組み合わせに基づき歯槽骨に開ける孔の深さも異なる。従って、歯槽骨に開ける穴の深さを制限する手段もこれに応じて変更する必要が生じてくる。図８には、１つの例として、埋設されるべき人工歯根として人工歯根４１（Ｆ１）、穴を開ける際に用いられるサージカルガイドとしてサージカルガイド５３（Ｇ３）が選択された場合における穴開けの態様について説明する図（図８（ｂ））を示した。
【００４４】
図８（ｂ）からわかるように、人工歯根４１の埋設長さはＭ１であり、歯槽骨面とサージカルガイド５３との間隙はＮ３、サージカルガイド５３の厚さはＴである。すなわち、人工歯根４１の先端からサージカルガイド５３の歯槽骨面とは反対側の面までの距離は、Ｍ１＋Ｎ３＋Ｔである。これに対応して、図８（ａ）で示したように、第一歯科用ドリル３４に第一スペーサー３１を装着することにより、穴を開けることができるとともに、その穴を適切な深さに規制することが可能となる。図８（ａ）からわかるように、第一歯科用ドリル３４に第一スペーサー３１を組み合わせることによりドリル本体の先端から第一スペーサー３１までの距離はＬ１−ｐとなる。このＬ１−ｐを上記したＭ１＋Ｎ３＋Ｔとすることにより、スペーサー３１がサージカルガイド５３に引っかかりストッパーとして機能し、これ以上穴が深く開けられることを防止することができる。
【００４５】
以上で一つの例を示したが、表１には、５本の人工歯根４１〜４５、及び３つのサージカルガイド５１〜５３の全ての組み合わせ、及びこのときに可能な歯科用ドリル及びスペーサーの組み合わせを示した。
【００４６】
【表１】
2013102929.tif 000003
【００４７】
表１では、人工歯根をＦ１〜Ｆ５、サージカルガイドをＧ１〜Ｇ３、歯科用ドリルをＤ１、Ｄ２、スペーサーをＳ１〜Ｓ３で表した。
「サージカルガイド上面から穿つべき穴の最深部までの距離」は、上記したように適用される人工歯根の種類、及びサージカルガイドの種類により決まる。
「Ｆ１Ｇ１との関係」は、「サージカルガイド上面から穿つべき穴の最深部までの距離」がＦ１とＧ１との組み合わせに対してどの程度大きくすべきかを表している。
「歯科用ドリルＤ１を用いる場合」は、人工歯根とサージカルガイドとの組み合わせに応じてＤ１を用いた時の可能なスペーサーの種類等を表している。
「歯科用ドリルＤ２を用いる場合」は、人工歯根とサージカルガイドとの組み合わせに応じてＤ２を用いた時の可能なスペーサーの種類等を表している。
また、いずれのスペーサーを用いても対応することができない場合には「×」を表示した。
【００４８】
表１からわかるように、本実施形態では、埋設されるべき人工歯根の先端からサージカルガイドの上面までの距離（図８（ｂ）に示したＡに相当する距離）が最も短いのは、Ｆ１とＧ１との組み合わせである（Ｎｏ．１）。一方、当該Ａに相当する距離が最も長いのは、Ｆ５とＧ３との組み合わせである（Ｎｏ．１５）。
また、歯科用ドリルＤ１、Ｄ２とスペーサーＳ１、Ｓ２、Ｓ３との組み合わせにおいて、いずれかのスペーサーを取り付けた場合にはドリル先端からスペーサーまでの距離（図８（ａ）にＢで示した距離に相当する距離）、スペーサーを取り付けなかった場合にはドリル先端から凸部までの距離（すなわち図４に表したＬ１又はＬ２）を考えた時、これらの距離のうち最も短いのは、第一歯科用ドリルＤ１とスペーサーＳ３との組み合わせであり、その距離はＬ１−３・ｐである。一方、最も長いのは第二歯科用ドリルＤ２にいずれもスペーサーをも取り付けない組み合わせでありその距離はＬ２である。
【００４９】
そこで、本実施形態では、表１のＮｏ．１のように、最も短い組み合わせであるＦ１とＧ１との組み合わせの時に、Ｄ１とＳ３との組み合わせとなるように設定する。すなわち、本実施形態における第一歯科用ドリルＤ１の図４に示した長さＬ１を、
Ｔ＋Ｎ１＋Ｍ１＋３・ｐ
としておく。
一方、表１のＮｏ．１５のように、最も長い組み合わせであるＦ５とＧ３との組み合わせの時に、Ｄ２をスペーサーなしで適用するように設定する。すなわち、本実施形態における第二歯科用ドリルＤ２の図４に示した長さＬ２を、
Ｔ＋Ｎ３＋Ｍ５＝Ｔ＋Ｎ１＋Ｍ５＋６・ｐ
としておく。
これにより２つの歯科用ドリルＤ１、Ｄ２、３つのスペーサーＳ１、Ｓ２、Ｓ３で１５通り全ての組み合わせに対応することができる。以下にさらに説明する。
【００５０】
Ｎｏ．１は、上記したように、Ｆ１とＧ１との組み合わせであり、図８（ｂ）にＡで示した距離に相当する距離（サージカルガイドの上面から人工歯根の先端までの距離）が最も短い。これに対しては、Ｄ１とＳ３とを組み合わせればよい。より具体的には、図８（ａ）にＢで示した距離に想到する距離（歯科用ドリルの先端とスペーサーまでの距離）はＬ１−３・ｐである。一方、第二歯科用ドリルＤ２ではいずれのスペーサーでもこれに対応することができない。
Ｎｏ．２は、Ｆ１とＧ２との組み合わせであり、図８（ｂ）にＡで示した距離に相当する距離がＦ１とＧ１との組み合わせよりもｐだけ長い。これに対してはＤ１とＳ２とを組み合わせればよい。より具体的には、図８（ａ）にＢで示した距離に相当する距離はＬ１−２・ｐである。一方、第二歯科用ドリルＤ２ではいずれのスペーサーでもこれに対応することができない。
Ｎｏ．３は、Ｆ１とＧ３との組み合わせであり、図８（ｂ）にＡで示した距離に相当する距離がＦ１とＧ１との組み合わせよりも２・ｐだけ長い。これに対してはＤ１とＳ１とを組み合わせればよい。より具体的には、図８（ａ）にＢで示した距離に相当する距離はＬ１−ｐである。第二歯科用ドリルＤ２ではいずれのスペーサーでもこれに対応することができない。
【００５１】
Ｎｏ．４は、Ｆ２とＧ１との組み合わせであり、図８（ｂ）にＡで示した距離に相当する距離がＦ１とＧ１との組み合わせよりもｐだけ長い。これに対してはＤ１とＳ２とを組み合わせればよい。より具体的には、図８（ａ）にＢで示した距離に相当する距離はＬ１−２・ｐである。一方、第二歯科用ドリルＤ２ではいずれのスペーサーでもこれに対応することができない。
Ｎｏ．５は、Ｆ２とＧ２との組み合わせであり、図８（ｂ）にＡで示した距離に相当する距離がＦ１とＧ１との組み合わせよりも２・ｐだけ長い。これに対してはＤ１とＳ１とを組み合わせればよい。より具体的には、図８にＢで示した距離に相当する距離はＬ１−ｐである。一方、第二歯科用ドリルＤ２ではいずれのスペーサーでもこれに対応することができない。
Ｎｏ．６は、Ｆ２とＧ３との組み合わせであり、図８にＡで示した距離に相当する距離がＦ１とＧ１との組み合わせよりも３・ｐだけ長い。これに対してはＤ１のみを用いればよい。より具体的には、図８（ａ）にＢで示した距離に相当する距離はＬ１である。このときには凸部３４ｂがストッパーとして機能する。又は、Ｄ２とＳ３とを組み合わせてもよい。より具体的には、図８（ａ）にＢで示した距離に相当する距離はＬ２−３・ｐである。
【００５２】
Ｎｏ．７は、Ｆ３とＧ１との組み合わせであり、図８（ｂ）にＡで示した距離に相当する距離がＦ１とＧ１との組み合わせよりも２・ｐだけ長い。これに対してはＤ１とＳ１とを組み合わせればよい。より具体的には、図８（ａ）にＢで示した距離に相当する距離はＬ１−ｐである。一方、第二歯科用ドリルＤ２ではいずれのスペーサーでもこれに対応することができない。
Ｎｏ．８は、Ｆ３とＧ２との組み合わせであり、図８（ｂ）にＡで示した距離に相当する距離がＦ１とＧ１との組み合わせよりも３・ｐだけ長い。これに対してはＤ１のみを用いればよい。より具体的には、図８（ａ）にＢで示した距離に相当する距離はＬ１である。又はＤ２とＳ３とを組み合わせてもよい。より具体的には、図８（ａ）にＢで示した距離に相当する距離はＬ２−３・ｐである。
Ｎｏ．９は、Ｆ３とＧ３との組み合わせであり、図８（ｂ）にＡで示した距離に相当する距離がＦ１とＧ１との組み合わせよりも４・ｐだけ長い。これに対してはＤ１ではいずれのスペーサーでも対応することができない。一方、Ｄ２とＳ２とを組み合わせればよい。より具体的には、図８（ａ）にＢで示した距離に相当する距離はＬ２−２・ｐである。
【００５３】
Ｎｏ．１０は、Ｆ４とＧ１との組み合わせであり、図８（ｂ）にＡで示した距離に相当する距離がＦ１とＧ１との組み合わせよりも３・ｐだけ長い。これに対してはＤ１のみを用いればよい。より具体的には、図８（ａ）にＢで示した距離に相当する距離はＬ１である。このときには凸部３４ｂがストッパーとして機能する。又はＤ２とＳ３とを組み合わせてもよい。より具体的には、図８（ａ）にＢで示した距離に相当する距離はＬ２−３・ｐである。
Ｎｏ．１１は、Ｆ４とＧ２との組み合わせであり、図８（ｂ）にＡで示した距離に相当する距離がＦ１とＧ１との組み合わせよりも４・ｐだけ長い。これに対してはＤ１ではいずれのスペーサーでも対応することができない。一方、Ｄ２とＳ２とを組み合わせればよい。より具体的には、図８（ａ）にＢで示した距離に相当する距離はＬ２−２・ｐである。
Ｎｏ．１２は、Ｆ４とＧ３との組み合わせであり、図８（ｂ）にＡで示した距離に相当する距離がＦ１とＧ１との組み合わせよりも５・ｐだけ長い。これに対してはＤ１ではいずれのスペーサーでも対応することができない。一方、Ｄ２とＳ１とを組み合わせればよい。より具体的には、図８（ａ）にＢで示した距離に相当する距離はＬ２−ｐである。
【００５４】
Ｎｏ．１３は、Ｆ５とＧ１との組み合わせであり、図８（ｂ）にＡで示した距離に相当する距離がＦ１とＧ１との組み合わせよりも４・ｐだけ長い。これに対してはＤ１ではいずれのスペーサーでも対応することができない。一方、Ｄ２とＳ２とを組み合わせればよい。より具体的には、図８（ａ）にＢで示した距離に相当する距離はＬ２−２・ｐである。
Ｎｏ．１４は、Ｆ５とＧ２との組み合わせであり、図８（ｂ）にＡで示した距離に相当する距離がＦ１とＧ１との組み合わせよりも５・ｐだけ長い。これに対してはＤ１ではいずれのスペーサーでも対応することができない。一方、Ｄ２とＳ１とを組み合わせればよい。より具体的には、図８（ａ）にＢで示した距離に相当する距離はＬ２−ｐである。
Ｎｏ．１５は、Ｆ５とＧ３との組み合わせであり、図８（ｂ）にＡで示した距離に相当する距離がＦ１とＧ１との組み合わせよりも６・ｐだけ長い。これに対してはＤ１ではいずれのスペーサーでも対応することができない。一方、Ｄ２をスペーサー取り付けることなく用いればよい。より具体的には、図８（ａ）にＢで示した距離に相当する距離はＬ２であり、上記したようにＬ２をこの距離に設定したものである。このときには凸部３５ｂがストッパーとして機能する。
【００５５】
以上のように、本実施形態ではＦ１〜Ｆ５の５種類の人工歯根４１〜４５、及びＧ１〜Ｇ３の３種類のサージカルガイド５１〜５３の組み合わせについては、Ｄ１、Ｄ２の２種類の歯科用ドリル３４、３５、及びＳ１〜Ｓ３の３種類のスペーサー３１〜３３により適切な穴を開けることができ、かつ、穿つべき穴の深さを規制することが可能となる。
【００５６】
表２には表１と同様の項目により、仮にスペーサーがＳ１及びＳ２の２種類のみとしたときの表を示した。
【００５７】
【表２】
2013102929.tif 000004
【００５８】
表２からわかるように、スペーサーをＳ１とＳ２の２種類とした場合には、Ｎｏ．６、Ｎｏ．８、Ｎｏ．１０において、Ｄ１及びＤ２のいずれを用いても対応する穴を開けることができない。従って、本実施形態の場合には、Ｄ１、Ｄ２に対して、少なくともＳ１、Ｓ２、Ｓ３が必要である。
【００５９】
以上のような考え方により、次のように人工歯根埋設用システムを構成することができる。
想定される人工歯根群としては、２≦ｘ≦５の範囲の整数としたときに、その先端から埋設時に歯槽骨面に位置するべき部位までの長さがＭ１である人工歯根（例えばＦ１）と、先端から埋設時に歯槽骨面に位置する部位までの長さが
Ｍｘ＝Ｍ１＋（ｘ−１）・ｐ
で表される人工歯根（例えばＦ２〜Ｆ５）と、により構成されることによりＭ１〜Ｍｘ（例えばＭ１〜Ｍ５）までのｘ種類の人工歯根を考える。
【００６０】
また、想定されるサージカルガイド群としては、１≦ｙ≦３の範囲の整数としたときに、口腔内に装着された姿勢で、人工歯根が埋設されるべき部位の歯槽骨面に対して、
Ｎｙ＝Ｎ１＋（ｙ−１）・ｐ
なる間隙を有するＮ１〜Ｎｙ（例えばＮ１〜Ｎ３）までのｙ種類のサージカルガイド（例えばＧ１〜Ｇ３）を考える。
【００６１】
これら人工歯根群及びサージカルガイド群、に対して、スペーサー群は、１≦ｚ≦３の範囲の整数において、筒状の軸方向に、
Ｑｚ＝ｚ・ｐ
なる長さであるスペーサー部を備えてＱ１〜Ｑｚまでのｚ種類のスペーサー（例えばＳ１〜Ｓ３）を有し、ｚ種類は、ｘ、及びｙから、
ｘ＋ｙ＝８のときｚ＝３
６≦ｘ＋ｙ≦７のときｚ＝２
２≦ｘ＋ｙ≦５のときｚ＝１
とされる。
【００６２】
そして、２種類の歯科用ドリルのうちの一方の種類の歯科用ドリル（例えばＤ１）は、その先端から前記凸部までの距離Ｌ１は、サージカルガイドの歯槽骨面に対向するべき面と、それとは反対側の面との距離をＴとしたとき、
Ｌ１＝Ｔ＋Ｎ１＋Ｍ１＋ｚ・ｐ
であり、他方の種類の歯科用ドリル（例えばＤ２）は、その先端から凸部までの距離Ｌ２は、
Ｌ２＝Ｔ＋Ｎｙ＋Ｍｘ
である。
【００６３】
例えば上記実施形態をこれに当てはめてみると、想定される人工歯根は５種類であるからｘ＝５、想定されるサージカルガイドは３種類であるからｙ＝３である。従って、ｘ＋ｙ＝８となり、スペーサーは少なくとも３つ必要であり、表１の内容に一致する。そして、その時の歯科用ドリルＤ１の長さＬ１は、
Ｌ１＝Ｔ＋Ｎ１＋Ｍ１＋３・ｐ
とし、歯科用ドリルＤ２の長さＬ２は、
Ｌ２＝Ｔ＋Ｎ３＋Ｍ５
とすればよい。
【００６４】
また、他の例として、想定される人工歯根の種類を３種類、想定されるサージカルガイドを２種類とする人工歯根埋設用システムを構成する場合を考える。このときには、ｘ＝３、ｙ＝２であるからｘ＋ｙ＝５となり、必要なスペーサーはＳ１のみである。そしてそのときの歯科用ドリルＤ１の長さＬ１は、
Ｌ１＝Ｔ＋Ｎ１＋Ｍ１＋ｐ
とし、歯科用ドリルＤ２の長さＬ２は、
Ｌ２＝Ｔ＋Ｎ２＋Ｍ３
とすればよい。
【００６５】
このような、人工歯根埋設用システムによれば、必要以上の歯科用ドリルとスペーサーを含めることなく、想定した人工歯根の種類及び想定したサージカルガイドの種類の組み合わせに対応して多くの種類の深さの穴をより安定して歯槽骨に穿つことができる。
【００６６】
また、人工歯根埋設用システムを提供するに際しては、歯科用ドリル及びスペーサーに加え、これらをどのように組み合わせるとどのような人工歯根とサージカルガイドとの組み合わせに対応するかを説明する表（例えば表１のような表）を併せて提供することが好ましい。
【００６７】
上記説明した例では、その考え方に基づいて得られる全ての人工歯根、サージカルガイド、スペーサーを含む人工歯根埋設用システムについて説明したが、上記考え方に基づいて構成されていれば、その一部を除外して人工歯根埋設用システムを構成してもよい。これによれば、上記考え方に基づけば人工歯根埋設用システムに含まれるが、実際には使用することが稀である組み合わせを除外することができ、よりコンパクトである人工歯根埋設用システムを構成することができる。
【００６８】
また、上記の考え方に基づきつつ、人工歯根埋設用システムが適用される実情が考慮されてもよい。すなわち、歯科用ドリルはこれを人の口腔内に挿入して施術することを鑑み、長い側の歯科用ドリルのＬ２の大きさを上限３０ｍｍとし、長さの異なる人工歯根の種類もある程度限定されるとの観点から、
Ｌ２−Ｌ１＝２・ｐ
として人工歯根埋設用システムを構成してもよい。その際には当該条件を満たす範囲において、上記のような人工歯根埋設用システムを構成すればよい。
【符号の説明】
【００６９】
３０    人工歯根埋設用システム
３１    第一スペーサー
３２    第二スペーサー
３３    第三スペーサー
３４    第一歯科用ドリル
３４ａ  ドリル本体
３４ｂ  凸部
３５    第二歯科用ドリル
３５ａ  ドリル本体
３５ｂ  凸部
４０    人工歯根群
４１〜４５  人工歯根
５０    サージカルガイド群
５１〜５３  サージカルガイド
【図１】
2013102929.tif 000005
【図２】
2013102929.tif 000006
【図３】
2013102929.tif 000007
【図４】
2013102929.tif 000008
【図５】
2013102929.tif 000009
【図６】
2013102929.tif 000010
【図７】
2013102929.tif 000011
【図８】
2013102929.tif 000012